(57)【要約】【課題】    トイレットペーパーの先端部近傍を見つけ出し把持し、所望長さ引き出し、引き出したトイレットペーパーを切断するという作業を、片手で容易に行うことができるトイレットペーパーホルダーを提供する。【解決手段】帯状のトイレットペーパーをロール状に巻き取ったロール体を回転可能に支持するロール支持手段と、ロール支持手段により支持されたロール体よりも上方に存し、トイレットペーパーを切断する切断手段と、切断手段とロール体との間のトイレットペーパーを、トイレットペーパーの長手方向に移動可能に下方から支持するペーパー支持手段と、切断手段により切断されるトイレットペーパーに、ペーパー支持手段と切断手段との間で上方から当接することでトイレットペーパーが該長手方向に移動することを妨げる制動力を加えるペーパー制動手段と、を備えてなる、トイレットペーパーホルダーである。【選択図】  図２
2007244488.tif 000002
【特許請求の範囲】
【請求項１】
帯状のトイレットペーパーをロール状に巻き取ったロール体を回転可能に支持するロール支持手段と、
ロール支持手段により支持されたロール体よりも上方に存し、トイレットペーパーを切断する切断手段と、
切断手段とロール体との間のトイレットペーパーを、トイレットペーパーの長手方向に移動可能に下方から支持するペーパー支持手段と、
切断手段により切断されるトイレットペーパーに、ペーパー支持手段と切断手段との間で上方から当接することでトイレットペーパーが該長手方向に移動することを妨げる制動力を加えるペーパー制動手段と、
を備えてなる、トイレットペーパーホルダー。
【請求項２】
切断手段により切断された後、ペーパー支持手段と切断手段との間のトイレットペーパーを下方に押し下げるペーパー押下手段を、さらに備えるものである、請求項１に記載のトイレットペーパーホルダー。
【請求項３】
ペーパー制動手段が、切断手段により切断されるトイレットペーパーが下方から当接することで上方に移動可能であり、
ペーパー押下手段がペーパー制動手段を含んでなるものである、請求項２に記載のトイレットペーパーホルダー。
【請求項４】
ペーパー押下手段が、ペーパー制動手段と切断手段との間のトイレットペーパーを下方に押し下げる先方ペーパー押下部を有してなり、
先方ペーパー押下部が、ペーパー制動手段の上下方向への移動に伴い上下方向に移動するものである、請求項３に記載のトイレットペーパーホルダー。
【請求項５】
ペーパー制動手段と先方ペーパー押下部とが取り付けられ、所定の第１回動軸の周りに回動可能な回動部材であって該回動によってペーパー制動手段と先方ペーパー押下部とが互いに上下方向に移動するものである回動部材を、ペーパー押下手段が有してなる、請求項４に記載のトイレットペーパーホルダー。
【請求項６】
ロール体の上方の少なくとも一部を覆い、切断手段が縁部に形成された板状部材であって、少なくとも使用時に、切断手段がトイレットペーパーを切断可能な使用位置に位置するようロール支持手段に対して固定可能な板状部材を、さらに有してなるものである、請求項１乃至５のいずれか１に記載のトイレットペーパーホルダー。
【請求項７】
前記板状部材がロール支持手段に対して所定の第２回動軸の周りに回動自在に取り付けられており、
第２回動軸の周りに前記板状部材が回動することで、切断手段が前記使用位置と前記使用位置よりも上方の上方位置との間で位置が変化可能であり、
切断手段が前記使用位置に位置するよう、ロール支持手段に対する前記板状部材の回動位置を固定する回動固定手段を有するものである、請求項６に記載のトイレットペーパーホルダー。
【発明の詳細な説明】
【技術分野】
【０００１】
本発明は、トイレットペーパーホルダーに関し、より詳細には、トイレットペーパーの先端部近傍を把持し、所望長さのトイレットペーパーを引き出し（巻き出し）、切断するという作業を片手で容易に行うことができるトイレットペーパーホルダーに関する。
【背景技術】
【０００２】
トイレットペーパーは、用便後の便等をふき取るために便所等にて用いられる長い帯状の紙であり、通常、ロール状（円筒の巻物状）に巻き取られている。この長い帯状の紙を先端から所望長さずつ切り取りながら使用する。
このロール状（円筒の巻物状）に巻き取られたトイレットペーパーは、便所内に配設されたトイレットペーパーホルダー等と呼ばれる支持具（例えば、特許文献１）によって回転可能に支持されることで、使用者（用便者等）がトイレットペーパーの先端部近傍を把持し、所望長さのトイレットペーパーを引き出し（巻き出し）、引き出した（巻き出した）トイレットペーパーを切り取り用いる。
【０００３】
特許文献１には、「トイレットペーパーホルダーは、ロール状に巻回されたトイレットペーパーを回転可能に保持するペーパー保持部と、このペーパー保持に保持されたトイレットペーパーの上方に被さるカバー部とを有している。ペーパー保持部が壁面に取り付けられることで、トイレットペーパーホルダー全体が壁面に取り付けられるようになっている。また、カバー部は、先端は引き出したトイレットペーパーを切断するための切断部となっている。」（特許文献１発明の詳細な説明中、段落番号０００２）ものにおいて、「ロール状に巻回されたトイレットペーパーを回転可能に保持するペーパー保持部と、このペーパー保持部に保持されたトイレットペーパーの上方に被さるカバー部と、このカバー部の表側又は／及び裏側に取り付けられた制振シートとを具備したことを特徴とするトイレットペーパーホルダー」（特許文献１の請求項１）が開示されており、これによって、「トイレットペーパ ーの上に被さるカバー部の表側又は／及び裏側に制振シートが取り付けられているので、トイレットペーパーを引き出す際に発生するカラカラという異音が発生しない。」（特許文献１発明の詳細な説明中、段落番号００１２）という効果を奏するものである。
【０００４】
【特許文献１】特開２００５−３２３８５９号公報（例えば、発明の詳細な説明中、段落番号０００１〜０００２、０００５〜００１４、第１図〜第３図、請求項１等）
【発明の開示】
【発明が解決しようとする課題】
【０００５】
特許文献１に開示された「ロール状に巻回されたトイレットペーパーを回転可能に保持するペーパー保持部と、このペーパー保持部に保持されたトイレットペーパーの上方に被さるカバー部と」を有するトイレットペーパーホルダーを用いる場合、通常、引き出した（巻きだした）トイレットペーパーは、カバー部の先縁部（使用者側の縁部）にて切断されるので、トイレットペーパーの切断された先端部は下方に落下することで、巻回されたトイレットペーパー（以下、「ロール体」という。）の側面（ロール体が形成する略円柱形状における該円柱の側面）に密接する。このためトイレットペーパーの先端部がロール体（側面）のどこに存するかを見つけだし確認し、さらにロール体の側面に密接するトイレットペーパー先端部を手で把持する必要があることから、トイレットペーパーの先端部近傍を把持するのに手間取ることがあった。
さらに、トイレットペーパーの先端部近傍を手で把持して所望長さ引き出し（巻き出し）、引き出した（巻き出した）トイレットペーパーを切り取る必要があるが、上述のように、これまでのトイレットペーパーホルダーは、ロール体を回転可能に保持するため、カバー部の先縁部（使用者側の縁部）にて切断するには、通常、カバー部がロール体に強く当接しロール体の回転が禁止（カバー部とロール体側面との摩擦により回転が禁止される。）されるよう他の手（トイレットペーパーの先端部近傍を把持する手とは反対の手）にてカバー部をロール体方向に押さえつける必要があった。即ち、引き出した（巻き出した）トイレットペーパーの切断は両手を使用する必要があった。
このようにトイレットペーパーの先端部近傍を見つけ出し把持し、所望長さ引き出し（巻き出し）、引き出した（巻き出した）トイレットペーパーを切断することは、従来のトイレットペーパーホルダーにおいては、両手で行うことを要ししかも手間取る難儀な作業であった。
【０００６】
そこで、本発明においては、トイレットペーパーの先端部近傍を見つけ出し把持し、所望長さ引き出し（巻き出し）、引き出した（巻き出した）トイレットペーパーを切断するという作業を、片手で容易に行うことができるトイレットペーパーホルダーを提供することを目的とする。
【課題を解決するための手段】
【０００７】
本発明のトイレットペーパーホルダー（以下、「本トイレットペーパーホルダー」という。）は、帯状のトイレットペーパーをロール状に巻き取ったロール体を回転可能に支持するロール支持手段と、ロール支持手段により支持されたロール体よりも上方に存し、トイレットペーパーを切断する切断手段と、切断手段とロール体との間のトイレットペーパーを、トイレットペーパーの長手方向に移動可能に下方から支持するペーパー支持手段と、切断手段により切断されるトイレットペーパーに、ペーパー支持手段と切断手段との間で上方から当接することでトイレットペーパーが該長手方向に移動することを妨げる制動力を加えるペーパー制動手段と、を備えてなる、トイレットペーパーホルダーである。
【０００８】
本トイレットペーパーホルダーは、ロール支持手段と切断手段とペーパー支持手段とペーパー制動手段とを備える。
ロール支持手段は、帯状のトイレットペーパーをロール状に巻き取ったロール体を回転可能に支持する。ロール体は、特許文献１に開示された「ロール状に巻回されたトイレットペーパー」と同様、従来から市販等されている帯状のトイレットペーパーが巻き取られたもの（帯状のトイレットペーパーを二重に重ねたものを巻き取ったもの（通常、ダブル等と呼ばれる）、帯状のトイレットペーパー１枚を巻き取ったもの（通常、シングル等と呼ばれる）、巻き取りの中心にトイレットペーパーとは別体の巻き取り芯を設けたもの、該巻き取り芯を設けていないもの（芯無し）等のいずれも含む。）をいう。このようなロール体をロール支持手段は回転可能に支持するので、ロール体を構成するトイレットペーパーの先端部近傍を把持し引っ張ることで、ロール体が回転しロール体からトイレットペーパーを引き出す（巻き出す）ことができる。
切断手段は、ロール支持手段により支持されたロール体よりも上方に存し、トイレットペーパーを切断する。
ペーパー支持手段は、切断手段とロール体との間のトイレットペーパーを、トイレットペーパーの長手方向に移動可能に下方から支持する。
そして、ペーパー制動手段は、切断手段により切断されるトイレットペーパーに、トイレットペーパーが長手方向（トイレットペーパーの長手方向）に移動することを妨げる制動力を加える。この制動力は、ペーパー制動手段がペーパー支持手段と切断手段との間で上方からトイレットペーパーに当接すること（ペーパー制動手段とトイレットペーパーとの摩擦）でトイレットペーパーに加わる。
【０００９】
このような本トイレットペーパーホルダーにおいては、切断手段により切断されたトイレットペーパーは、ペーパー支持手段と切断手段との間のトイレットペーパーが残り（ペーパー支持手段により下方から支持されているので、通常、該間のトイレットペーパーは重力により下方に垂下等するので、特に見つけやすい。）、この残り部分（ペーパー支持手段と切断手段との間のトイレットペーパーである。これは次に使用する際のトイレットペーパーの先端部近傍となる。）を容易に見つけ出し把持することができ、所望長さ引き出す（巻き出す）ことができる（ロール支持手段はロール体を回転可能に支持すると共に、ペーパー支持手段はトイレットペーパーをその長手方向に移動可能に下方から支持する。）。そして、所望長さ引き出した（巻き出した）後、トイレットペーパーを切断しようとすると、ペーパー制動手段が切断手段により切断されるトイレットペーパーにトイレットペーパーが長手方向に移動することを妨げる制動力を加えるので、トイレットペーパーの先端部近傍を把持する片手のみでトイレットペーパーの所望位置を切断手段にて確実に切断することができる（該把持する片手とは反対の手にてトイレットペーパーが長手方向に不意に移動することを防止することなく、ペーパー制動手段が切断する際にトイレットペーパーが長手方向に不意に移動することを防止又は減少させる。）。
即ち、本トイレットペーパーホルダーは、トイレットペーパーの先端部近傍を見つけ出し把持し、所望長さ引き出し（巻き出し）、引き出した（巻き出した）トイレットペーパーを切断するという作業を、トイレットペーパーの先端部近傍を把持する片手で容易に行うことができるトイレットペーパーホルダーである。
【００１０】
切断手段により切断された後、ペーパー支持手段と切断手段との間のトイレットペーパーを下方に押し下げるペーパー押下手段を、さらに備えるもの（以下、「ペーパー押下本トイレットペーパーホルダー」という。）であってもよい。
切断手段により切断されたトイレットペーパーは、ペーパー支持手段により下方から支持されているので、ペーパー支持手段と切断手段との間のトイレットペーパーは通常重力により下方に垂下する。ペーパー支持手段と切断手段との間のトイレットペーパーは次の使用の際のトイレットペーパーの先端部近傍となるので、この部分を容易に見つけ出し把持することができることが好ましく、ペーパー支持手段と切断手段との間のトイレットペーパーが下方に垂下していれば、この垂下した部分を容易に見つけ出し把持することができるので好ましい。しかしながら、切断手段により切断された際にトイレットペーパーの切断部分と切断手段とが引っかかる等（該切断部分が切断手段により支持される等）により、ペーパー支持手段と切断手段との間のトイレットペーパーが下方に垂下しないこともあり得る。切断手段により切断された後、ペーパー支持手段と切断手段との間のトイレットペーパーを下方に押し下げるペーパー押下手段を、さらに備えるようにすれば、トイレットペーパーの切断部分と切断手段との引っかかりを引き離し、ペーパー支持手段と切断手段との間のトイレットペーパーを確実に下方に垂下させることができ、トイレットペーパーの先端部近傍を見つけ出し把持することを容易ならしめる。
【００１１】
ペーパー押下本トイレットペーパーホルダーの場合、ペーパー制動手段が、切断手段により切断されるトイレットペーパーが下方から当接することで上方に移動可能であり、ペーパー押下手段がペーパー制動手段を含んでなるもの（以下、「押下手段兼用制動手段本トイレットペーパーホルダー」という。）であってもよい。
ペーパー制動手段が、切断手段により切断されるトイレットペーパーが下方から当接することで上方に移動可能であり（ペーパー制動手段は上方に移動しても、無論、切断手段により切断されるトイレットペーパーに上方から当接する。）、切断手段により切断された後にトイレットペーパーの当接力が弱まると下方に移動可能であれば、切断手段により切断された後、ペーパー支持手段と切断手段との間のトイレットペーパーを下方に押し下げるようにペーパー制動手段が機能することができる。即ち、こうすればペーパー制動手段がペーパー押下手段としてもはたらくので、ペーパー押下手段を別途設ける必要が無くなることでペーパー押下本トイレットペーパーホルダーの構成を簡単にしたり、別途設けたペーパー押下手段と（ペーパー押下手段を兼ねる）ペーパー制動手段とが一緒に作用することで一層確実に、ペーパー支持手段と切断手段との間のトイレットペーパーを下方に押し下げるようにすることができる。
【００１２】
押下手段兼用制動手段本トイレットペーパーホルダーの場合、ペーパー押下手段が、ペーパー制動手段と切断手段との間のトイレットペーパーを下方に押し下げる先方ペーパー押下部を有してなり、先方ペーパー押下部が、ペーパー制動手段の上下方向への移動に伴い上下方向に移動するもの（以下、「先方ペーパー押下部本トイレットペーパーホルダー」という。）であってもよい。
先方ペーパー押下部は、ペーパー制動手段と切断手段との間の切断手段に近いトイレットペーパーを下方に押し下げるので、切断手段により切断された後のトイレットペーパーの切断部分と切断手段との引っかかりを一層確実に引き離し、ペーパー支持手段と切断手段との間のトイレットペーパーを一層確実に下方に垂下させることができる。
そして、先方ペーパー押下部が、ペーパー制動手段の上下方向への移動に伴い上下方向に移動するので、切断手段により切断されるトイレットペーパーが下方からペーパー制動手段に当接することで（このときペーパー制動手段は上方に移動する。）、先方ペーパー押下部が上方に移動し、切断された後にトイレットペーパーの下方からの当接力が弱まるとペーパー制動手段が下方に移動し先方ペーパー押下部も下方に移動する。このため切断手段により切断されるトイレットペーパーが下方からペーパー制動手段に当接することを利用して先方ペーパー押下部を上下させることができ、先方ペーパー押下部を上下させる格別の構成を要することなく、切断手段による切断後、先方ペーパー押下部が、ペーパー制動手段と切断手段との間の切断手段に近いトイレットペーパーを下方に確実に押し下げるようにすることができる。
【００１３】
先方ペーパー押下部本トイレットペーパーホルダーの場合、ペーパー制動手段と先方ペーパー押下部とが取り付けられ、所定の第１回動軸の周りに回動可能な回動部材であって該回動によってペーパー制動手段と先方ペーパー押下部とが互いに上下方向に移動するものである回動部材を、ペーパー押下手段が有してなるものであってもよい。
ペーパー制動手段と先方ペーパー押下部とが取り付けられ回動部材が第１回動軸の周りに回動することで、ペーパー制動手段と先方ペーパー押下部とが互いに上下方向に移動するようにすれば、第１回動軸の周りに回動する回動部材という簡単な構成によって、切断手段により切断されるトイレットペーパーが下方からペーパー制動手段に当接することを利用して容易に先方ペーパー押下部を上下させることができる。
【００１４】
本トイレットペーパーホルダーにおいては、ロール体の上方の少なくとも一部を覆い、切断手段が縁部に形成された板状部材であって、少なくとも使用時に、切断手段がトイレットペーパーを切断可能な使用位置に位置するようロール支持手段に対して固定可能な板状部材を、さらに有してなるもの（以下、「上方板状部材本トイレットペーパーホルダー」という。）であってもよい。
ここに「ロール体の上方の少なくとも一部を覆」う板状部材とは、ロール体を鉛直上方向に投影したとき、その投影した影の少なくとも一部が板状部材の表面の少なくとも一部に投影されることをいう。このような板状部材の縁部に設けられた切断手段がトイレットペーパーを切断可能な使用位置に位置するよう、少なくとも使用時にロール支持手段に対して板状部材を固定するようにすれば、板状部材がロール体の上方の少なくとも一部を覆うのでロール体が汚染することを防止又は減少させトイレットペーパーの使用を衛生的にならしめる（ロール体上方からの埃や便等がロール体に付着することを防止又は減少させることができる。）と共に、少なくとも使用時には切断手段によってトイレットペーパーをうまく切断することができる。
【００１５】
上方板状部材本トイレットペーパーホルダーの場合、前記板状部材がロール支持手段に対して所定の第２回動軸の周りに回動自在に取り付けられており、第２回動軸の周りに前記板状部材が回動することで、切断手段が前記使用位置と前記使用位置よりも上方の上方位置との間で位置が変化可能であり、切断手段が前記使用位置に位置するよう、ロール支持手段に対する前記板状部材の回動位置を固定する回動固定手段を有するものであってもよい。
こうすることで前記板状部材をロール支持手段に対して第２回動軸の周りに回動させ、切断手段を前記使用位置よりも上方の上方位置に位置させれば、本トイレットペーパーホルダーに関する作業（例えば、新しいロール体に交換するような作業や、掃除等）を行いやすくすることができると共に、回動固定手段によって切断手段が前記使用位置に位置するようロール支持手段に対する前記板状部材の回動位置を固定すれば、使用時に切断手段によってトイレットペーパーをうまく切断することができる。
なお、回動固定手段としては、切断手段が前記使用位置に位置するよう、ロール支持手段に対する前記板状部材の回動位置を固定することができればいかなるものであってもよく何ら制限されるものではないが、例えば、該回動位置を固定するように設けられる磁石、バネ、ゴム、線材、ピン等を例示することができる。
【発明を実施するための最良の形態】
【００１６】
以下、本発明の実施の形態を図面を参照して説明する。しかしながら、これらによって本発明は何ら制限されるものではない。
【００１７】
図１は、本発明のトイレットペーパーホルダー（本トイレットペーパーホルダー）１１を示す斜視図であり、図２は本トイレットペーパーホルダー１１の通常時（トイレットペーパー７４が使用されるのを待機している状態）における左側面図（図１中、矢印Ａ方向から見たところを示している。）であり、図３は図２中の点線Ｂにて囲まれた領域の拡大図であり、図４は本トイレットペーパーホルダー１１の切断直前時（引き出されたトイレットペーパー７４が切断される直前の状態）における左側面図（図１中、矢印Ａ方向から見たところを示している。図２と同様の方向から見ている。）であり、図５は図４中の点線Ｂにて囲まれた領域の拡大図である。図１乃至図５を参照して、本トイレットペーパーホルダー１１について説明する。なお、理解を容易にするため、図２及び図４においては、後述する側板部３３ｂに隠れている第１ローラ４１及び回動具５１についても実線にて示している。
また、ここにいう「後」、「前」、「上」、「下」、「右」及び「左」は、本トイレットペーパーホルダー１１が正面に存する使用者（図示せず）が認識する「後」、「前」、「上」、「下」、「右」及び「左」をいい、図中、矢印Ｐ１（後）、矢印Ｐ２（前）、矢印Ｐ３（上）、矢印Ｐ４（下）、矢印Ｐ５（右）及び矢印Ｐ６（左）にてそれぞれ示した。
【００１８】
本トイレットペーパーホルダー１１は、大まかには、便所の図示しない壁面にネジ止めされる本体部２１と、本体部２１の上部に回動自在に支持された蓋部３１と、蓋部３１の下側に回転自在に支持された第１ローラ４１と、蓋部３１の下側に回動自在に支持された回動具５１と、を備えている。
【００１９】
本体部２１は、便所の壁面にネジ止めされる取付板２３（主表面が略長方形をした板状部材により構成されている。）と、取付板２３の主表面が形成する略長方形の相対する略平行な２辺に沿ってそれぞれ取り付けられた第１側板２５及び第２側板２７と（第１側板２５及び第２側板２７のいずれの主表面も取付板２３の主表面と略垂直になるように取り付けられており、これら第１側板２５、第２側板２７及び取付板２３によって平面視において片仮名の「コ」の字のような構造が形成されている。）、第１側板２５に形成された軸受部２９と第２側板２７に形成された軸受部（図示せず）とに架け渡された軸部材２２（真っ直ぐな直線に沿った棒状部材）と、ロール体７１の巻き取り芯７３（両端が開放された中空円筒形状をしたボール紙製の筒）の内部に遊嵌され軸部材２２に支持される内嵌部材２４（巻き取り芯７３が内嵌部材２４を貫通している。）と、を有している。なお、軸部材２２及び内嵌部材２４は、第１側板２５及び第２側板２７に対して着脱自在（軸部材２２は、第１側板２５及び第２側板２７に形成された軸受部２９から外縁に連なる切り欠き部２９ａを経由して自由に着脱できる。）にされているので、ロール体７１を自由に交換することができる。
このような本体部２１は、取付板２３が便所の壁面にネジ止めされることで該壁面に取り付けられ、巻き取り芯７３に内嵌部材２４を遊嵌し、軸部材２２及び内嵌部材２４を第１側板２５及び第２側板２７に取り付けることで、帯状のトイレットペーパー７４をロール状に巻き取ったロール体７１を回転自在に支持することができる。なお、このような本体部２１は、従来からのトイレットペーパーホルダーも有するものである。
【００２０】
蓋部３１は、本体部２１の第１側板２５及び第２側板２７の上部に回動可能に支持された軸部３２と、軸部３２に取り付けられた蓋本体３３（蓋本体３３は、上板部３３ａと、側板部３３ｂ、３３ｃと、を有している。）と、蓋本体３３の前側（矢印Ｐ２側）端部に鉛直方向に沿って上端が取り付けられた舌部３５（図２及び図４参照。平板状の板状部材）と、舌部３５の前側（矢印Ｐ２側）面に取り付けられた板状の磁石３７と、を有している。図１、図２及び図４の状態では、磁石３７が取付板２３（鋼製）に当接しており、磁石３７と取付板２３とは磁力により吸着した状態になっている。また、この磁石３７と取付板２３との当接により、図１、図２及び図４において蓋部３１が本体部２１に対して矢印Ｃ方向へこれ以上回動することは禁止されているが、逆の矢印Ｄ方向へは回動することができる。しかしながら、図１、図２及び図４に示した状態から蓋部３１が本体部２１に対して矢印Ｄ方向へ回動するには磁石３７と取付板２３との吸着力に抗して行われなければならないので、該吸着力にうち勝つ以上の力によって蓋部３１を回動させなければ矢印Ｄ方向への回動は起こらない。なお、後述するように、トイレットペーパー７４は蓋本体３３（上板部３３ａ）の切断縁３６（蓋本体３３（上板部３３ａ）の矢印Ｐ１（後）側の縁）に下方から強く当接することで切断され、このとき切断縁３６には上方への力（蓋部３１を矢印Ｄ方向へ回動させる方向の力）が加わるが、該力によっては蓋部３１が矢印Ｄ方向へ回動しないようにされている（磁石３７の磁力等を調節している）。
【００２１】
第１ローラ４１は、ロール体７１を形成するトイレットペーパーの幅（図１中、幅Ｗ）よりも軸方向がやや長い直円柱形状をした樹脂製のローラであり、蓋本体３３の側板部３３ｂ、３３ｃに回転自在（第１ローラ４１が形成する直円柱の軸の周りに回転自在である。）に支持されている。
第１ローラ４１と蓋本体３３の上板部３３ａ（下面）との間には隙間４２（特に、図３及び図５参照）が形成されており、ロール体７１を構成するトイレットペーパー７４を隙間４２に通過させることで、第１ローラ４１は該トイレットペーパー７４を該トイレットペーパー７４の長手方向に移動可能（第１ローラ４１は回転自在である。）に下方から支持することができる。
【００２２】
回動具５１は、蓋本体３３の側板部３３ｂ、３３ｃに回動自在に支持された軸部５３（真っ直ぐな丸棒）と、軸部５３が長手方向に貫通し軸部５３に支持される取付棒５５（真っ直ぐな角棒）と、取付棒５５に取り付けられた回動板５７（平板部材であり、平板部材の主表面（略長方形）が取付棒５５の長手方向に略平行になっている。）と、回動板５７の下面に下方に向けて突出するように取り付けられたスポンジ部材５９（棒状形状の柔軟なスポンジ（トイレットペーパーとの摩擦係数が大きい）によって形成されている。）と、回動板５７の後縁部（矢印Ｐ１方向の縁部）に沿って取り付けられた先方丸棒６１（真っ直ぐな丸棒）と、を有している。なお、先方丸棒６１の長手方向と、スポンジ部材５９の長手方向と、取付棒５５の長手方向と、軸部５３の回動軸と、第１ローラ４１の回転軸と、軸部３２の回動軸と、軸部材２２の長手方向と、ロール体７１が形成する略直円柱形状の軸と、は互いに略平行（いずれも図２及び図４が示す面に対して略垂直）になっている。
このような回動具５１は、重力以外の力が加わっていない状態においては、図２及び図３に示すように先方丸棒６１が下がった状態の回動位置（軸部５３の周りの回動位置）をとり、この図２及び図３の状態からさらに時計回りに回動することは禁止される。一方、回動具５１は、図２及び図３の状態から反時計回りに図４及び図５の状態になるまで回動することができる。なお、図４及び図５に示したように、引き出されたトイレットペーパー７４の切断直前時においては、ロール体７１を構成するトイレットペーパー７４は第１ローラ４１に下方から支持された状態で隙間４２を通過すると共に、蓋本体３３（上板部３３ａ）の切断縁３６に当接しているが、このときスポンジ部材５９は第１ローラ４１と切断縁３６との間で上方から当接することでトイレットペーパー７４がその長手方向に移動することを妨げる制動力を十分加えている。
【００２３】
このような本トイレットペーパーホルダー１１の使用方法について説明する。
第１に、取付板２３を便所の壁面にネジ止めして該壁面に本トイレットペーパーホルダー１１を取り付ける。
第２に、ロール体７１を準備し、ロール体７１の巻き取り芯７３に内嵌部材２４を貫入（遊嵌）し、ロール体７１が取り付けられた軸部材２２及び内嵌部材２４を第１側板２５及び第２側板２７に取り付け、ロール体７１を回転自在に支持する。
第３に、本体部２１により回転自在に支持されたロール体７１を構成するトイレットペーパー７４の先端部近傍７４ａを、図２に示すように、矢印Ｐ２（前）方向から矢印Ｐ１（後）方向に向けて隙間４２（図３及び図５）に通す。
この図２に示した状態が、ロール体７１のトイレットペーパー７４が使用されるのを待つ状態である。
【００２４】
第４に、トイレットペーパー７４が使用されるのを図２に示したように待っている状態であれば、トイレットペーパー７４の使用者（用便者等）は、下方に向けて垂下した先端部近傍７４ａを容易に見つけ片手（図示せず）で把持することができる。そして、使用者（用便者等）は、片手（図示せず）で把持した先端部近傍７４ａを矢印Ｐ１（後）方向に引っ張ることで、ロール体７１からトイレットペーパー７４を所望長さ引き出す（巻き出す）。
第５に、トイレットペーパー７４の使用者（用便者等）は、所望長さ引き出した（巻き出した）トイレットペーパー７４を切断するため、片手（図示せず）で把持した先端部近傍７４ａを矢印Ｐ３（上）方向に引き上げる。すると、トイレットペーパー７４の上面が先方丸棒６１やスポンジ部材５９に当接することで、回動具５１が回動し図４及び図５に示す状態になる。この状態ではトイレットペーパー７４の上面がスポンジ部材５９に強く当接することで、スポンジ部材５９は、トイレットペーパー７４がその長手方向に移動することを妨げる制動力をトイレットペーパー７４に加えている。
第６に、トイレットペーパー７４の使用者（用便者等）が、片手（図示せず）で把持した先端部近傍７４ａを矢印Ｐ３（上）方向にさらに強く引き上げると、トイレットペーパー７４は蓋本体３３（上板部３３ａ）の切断縁３６（蓋本体３３（上板部３３ａ）の矢印Ｐ１（後）側の縁）に強く当接し切断される（このときもスポンジ部材５９は、トイレットペーパー７４がその長手方向に移動することを妨げる制動力をトイレットペーパー７４に加えているので、トイレットペーパー７４が長手方向に不意に移動しないため、トイレットペーパー７４の所望の切断位置で確実に切断することができる。）。そして、トイレットペーパー７４が切断縁３６により切断されるとき、先方丸棒６１は蓋本体３３の内部に引っ込んでおり、トイレットペーパー７４が切断縁３６に強く当接することを妨げず切断を妨げない。切断されて短冊状になったトイレットペーパー７４は、その後、使用者（用便者等）により使用される。
第７に、蓋本体３３（上板部３３ａ）の切断縁３６によりトイレットペーパー７４が切断されると、図４及び図５に示すような回動位置に回動具５１を回動させておく力がなくなり、重力以外の力が加わっていない自然な状態である図２及び図３に示すように先方丸棒６１が下がった状態の回動位置（軸部５３の周りの回動位置）に戻る。この図４及び図５の状態から図２及び図３の状態に戻る過程において、切断縁３６により切断されたトイレットペーパー７４は、切断縁３６と第１ローラ４１との間で先方丸棒６１やスポンジ部材５９により下方（矢印Ｐ４方向）に押し下げられ、切断縁３６からトイレットペーパー７４は完全に引き離される。これにより切断縁３６と第１ローラ４１との間のトイレットペーパー７４は重力によって下方に垂下し、再び図２に示すような状態になりトイレットペーパー７４が使用されるのを待つ。
【００２５】
このように本トイレットペーパーホルダー１１によれば、トイレットペーパー７４の先端部近傍７４ａを見つけ出し把持し、所望長さ引き出し（巻き出し）、引き出した（巻き出した）トイレットペーパー７４を切断するという作業を、片手で容易に行うことができる。なお、トイレットペーパー７４の先端部近傍７４ａを見つけ出し把持し、所望長さ引き出し（巻き出し）た際に、図４においてたるんだトイレットペーパー７４ｆにて示すようにたるみが生じることがある。かかるたるんだトイレットペーパー７４ｆであっても、本トイレットペーパーホルダー１１においては、スポンジ部材５９がトイレットペーパー７４に当接することでその長手方向に移動することを妨げる制動力をトイレットペーパー７４に加えるので、トイレットペーパー７４が長手方向に不意に移動せずトイレットペーパー７４の所望の切断位置で確実に切断することができる（トイレットペーパー７４にたるみが生じても影響を受けない。）。
【００２６】
以上のように、本トイレットペーパーホルダー１１は、帯状のトイレットペーパー７４をロール状に巻き取ったロール体７１を回転可能に支持するロール支持手段たる本体部２１と、ロール支持手段（本体部２１）により支持されたロール体７１よりも上方に存し、トイレットペーパー７４を切断する切断手段たる切断縁３６と、切断手段（切断縁３６）とロール体７１との間のトイレットペーパー７４を、トイレットペーパー７４の長手方向に移動可能に下方から支持するペーパー支持手段たる第１ローラ４１と、切断手段（切断縁３６）により切断されるトイレットペーパー７４に、ペーパー支持手段（第１ローラ４１）と切断手段（切断縁３６）との間で上方から当接することでトイレットペーパー７４が該長手方向に移動することを妨げる制動力を加えるペーパー制動手段たるスポンジ部材５９と、を備えてなる、トイレットペーパーホルダーである。また、ここではペーパー制動手段はスポンジにより形成されているがこれに限定されるものではなく、切断手段により切断されるトイレットペーパーに、ペーパー支持手段と切断手段との間で上方から当接することでトイレットペーパーが該長手方向に移動することを妨げる（防止又は減少させる）のに十分な制動力を加えるものであればいかなるものによってペーパー制動手段が形成されてもよく、例えば、上記のスポンジ（海綿、ゴム、合成樹脂等により形成できる。）以外にも、金属材料、セラミックス材料、ゴム材料、樹脂材料等によって形成されてもよい（なお、該制動力は、通常、ペーパー制動手段とトイレットペーパーとの間の摩擦力により生じるので、トイレットペーパーに対するペーパー制動手段の摩擦係数が大きいものが好ましい。さらに該制動力を大きくするためトイレットペーパーに当接するペーパー制動手段の部分に凹凸を付けるようにしてもよい。）。
【００２７】
そして、本トイレットペーパーホルダー１１においては、切断手段（切断縁３６）により切断された後、ペーパー支持手段（第１ローラ４１）と切断手段（切断縁３６）との間のトイレットペーパー７４を下方（鉛直下方向への成分を有する）に押し下げるペーパー押下手段（ここでは軸部５３、取付棒５５、回動板５７、スポンジ部材５９及び先方丸棒６１を有して構成されている）を、さらに備えるものである。
ペーパー制動手段（スポンジ部材５９）が、切断手段（切断縁３６）により切断されるトイレットペーパー７４が下方から当接することで上方（鉛直上方向への成分を有する）に移動可能であり、ペーパー押下手段（ここでは軸部５３、取付棒５５、回動板５７、スポンジ部材５９及び先方丸棒６１を有して構成されている）がペーパー制動手段（スポンジ部材５９）を含んでなるものである。
ペーパー押下手段（ここでは軸部５３、取付棒５５、回動板５７、スポンジ部材５９及び先方丸棒６１を有して構成されている）が、ペーパー制動手段（スポンジ部材５９）と切断手段（切断縁３６）との間のトイレットペーパー７４を下方（鉛直下方向への成分を有する）に押し下げる先方ペーパー押下部たる先方丸棒６１を有してなり、先方ペーパー押下部（先方丸棒６１）が、ペーパー制動手段（スポンジ部材５９）の上下方向（鉛直上方向又は鉛直下方向への成分を有する）への移動に伴い上下方向（鉛直上方向又は鉛直下方向への成分を有する）に移動するものである。切断手段（切断縁３６）により切断されるトイレットペーパー７４が下方からペーパー制動手段（スポンジ部材５９）に当接することで、先方ペーパー押下部（先方丸棒６１）が上方（鉛直上方向への成分を有する）に移動し、該切断されるトイレットペーパー７４が下方からペーパー制動手段（スポンジ部材５９）に当接しなくなると先方ペーパー押下部（先方丸棒６１）が下方（鉛直下方向への成分を有する）に移動する。
ペーパー制動手段（スポンジ部材５９）と先方ペーパー押下部（先方丸棒６１）とが取り付けられ、所定の第１回動軸（ここでは軸部５３の回動軸）の周りに回動可能な回動部材たる回動板５７であって該回動によってペーパー制動手段（スポンジ部材５９）と先方ペーパー押下部（先方丸棒６１）とが互いに上下方向（鉛直上方向又は鉛直下方向への成分を有する）に移動するものである回動部材（回動板５７）を、ペーパー押下手段（ここでは軸部５３、取付棒５５、回動板５７、スポンジ部材５９及び先方丸棒６１を有して構成されている）が有してなる。
【００２８】
ロール体７１の上方の少なくとも一部（ここでは全部）を覆い、切断手段（切断縁３６）が縁部に形成された板状部材たる蓋本体３３であって、少なくとも使用時に、切断手段（切断縁３６）がトイレットペーパー７４を切断可能な使用位置（図１、図２及び図４）に位置するようロール支持手段（本体部２１）に対して固定可能な板状部材（蓋本体３３）を、さらに有してなるものである。ここではロール体７１を鉛直上方向（矢印Ｐ３方向）に投影したとき、その投影した影の少なくとも一部（ここでは全部）が板状部材たる蓋本体３３の表面の少なくとも一部に投影される。
さらに、前記板状部材（蓋本体３３）がロール支持手段（本体部２１）に対して所定の第２回動軸（軸部３２の回動軸）の周りに回動自在に取り付けられており、第２回動軸（軸部３２の回動軸）の周りに前記板状部材（蓋本体３３）が回動することで、切断手段（切断縁３６）が前記使用位置（図１、図２及び図４）と前記使用位置（図１、図２及び図４）よりも上方の上方位置（蓋本体３３を図中、矢印Ｄ方向に回動させ、上板部３３ａが略鉛直に沿うようになる位置）との間で位置が変化可能であり、切断手段（切断縁３６）が前記使用位置（図１、図２及び図４）に位置するよう、ロール支持手段（本体部２１）に対する前記板状部材（蓋本体３３）の回動位置を固定する回動固定手段（舌部３５と磁石３７とにより構成される。）を有するものである。
【図面の簡単な説明】
【００２９】
【図１】本発明のトイレットペーパーホルダー（本トイレットペーパーホルダー）を示す斜視図である。
【図２】本トイレットペーパーホルダーの通常時（トイレットペーパーが使用されるのを待機している状態）における左側面図である。
【図３】図２中の点線Ｂにて囲まれた領域の拡大図である。
【図４】本トイレットペーパーホルダーの切断直前時（引き出されたトイレットペーパーが切断される直前の状態）における左側面図である。
【図５】図４中の点線Ｂにて囲まれた領域の拡大図である。
【符号の説明】
【００３０】
１１            本トイレットペーパーホルダー
２１            本体部
２２            軸部材
２３            取付板
２４            内嵌部材
２５            第１側板
２７            第２側板
２９            軸受部
２９ａ          切り欠き部
３１            蓋部
３２            軸部
３３            蓋本体
３３ａ          上板部
３３ｂ、３３ｃ  側板部
３５            舌部
３６            切断縁
３７            磁石
４１            第１ローラ
４２            隙間
５１            回動具
５３            軸部
５５            取付棒
５７            回動板
５９            スポンジ部材
６１            先方丸棒
７１            ロール体
７３            巻き取り芯
７４            トイレットペーパー
７４ａ          先端部近傍
７４ｆ          たるんだトイレットペーパー
【図１】
2007244488.tif 000003
【図２】
2007244488.tif 000004
【図３】
2007244488.tif 000005
【図４】
2007244488.tif 000006
【図５】
2007244488.tif 000007